(57)【要約】【課題】装置を小型化すると共に、クレードルへの装着時にも良好なアンテナ特性の外部アンテナを使用することができる携帯無線端末装置を提供すること。【解決手段】携帯無線端末装置１のホイップアンテナ４は、携帯無線端末装置１がクレードル２に装着された時には、クレードル２のアンテナ用接点７と接触するように構成されている。この場合、携帯無線端末装置１側のコネクタ５と、クレードル２側のコネクタ８とは電気的に接続されて、携帯無線端末装置１側の回路基板と、クレードル２側の回路基板とは接地電位で電気的に接続される。これにより、クレードル２側の回路基板と近接するホイップアンテナ４は、マイクロストリップライン化されて、そのアンテナ機能が無効化される。しかし、ホイップアンテナ４は伝送線路としては機能するので、クレードル２が備えるホイップアンテナ６だけを外部アンテナとして有効に機能させることができる。【選択図】図１
2013110560.tif 000002
【特許請求の範囲】
【請求項１】
少なくとも放送信号を受信する機能を有する、折畳み式または引出し式の本装置用のホイップアンテナと、本装置の接地電位の回路基板と接続されたコネクタを備え、
前記本装置用のホイップアンテナは、卓上型充電台に装着された状態で、前記卓上型充電台の接地電位の回路基板とマイクロストリップラインを構成するように配置され、アンテナ機能は無効化されると共に高周波伝送線路として機能することを特徴とする携帯無線端末装置。
【請求項２】
前記本装置用のホイップアンテナは、棒状のアンテナエレメントで構成されており、前記卓上型充電台に装着された状態では、該アンテナエレメントの一端が、前記卓上型充電台のホイップアンテナに電気的に接続されているアンテナ用接点と、電気的な接触をなすことを特徴とする請求項１記載の携帯無線端末装置。
【請求項３】
前記電気的な接触は、高周波損失を生じないような接触であることを特徴とする請求項１または請求項２記載の携帯無線端末装置。
【請求項４】
前記電気的な接触は、本装置が前記卓上型充電台から取り外された際には解除されることを特徴とする請求項２または請求項３記載の携帯無線端末装置。
【請求項５】
前記本装置のコネクタは、前記卓上型充電台に装着された状態では、前記卓上型充電台の接地電位の回路基板に電気的に接続されている前記卓上型充電台側のコネクタと、電気的に接続されることを特徴とする請求項１乃至４のいずれか１項に記載の携帯無線端末装置。
【請求項６】
前記コネクタ間の接続は、本装置が前記卓上型充電台から取り外された際には解除されることを特徴とする請求項４または請求項５記載の携帯無線端末装置。
【請求項７】
少なくとも放送信号を受信する機能を有する本装置用のホイップアンテナと、本装置の接地電位の回路基板と接続されたコネクタを備え、
携帯無線端末装置が載置された際に、前記本装置の接地電位の回路基板は、前記携帯無線端末装置用のホイップアンテナをマイクロストリップラインに変じさせ、前記携帯無線端末装置用のホイップアンテナのアンテナ機能を無効化すると共に高周波伝送線路として機能させることを特徴とする携帯無線端末装置用の卓上型充電台。
【請求項８】
本装置用のホイップアンテナと電気的に接続されたアンテナ用接点を更に備え、前記携帯無線端末装置が載置された状態では、前記アンテナ用接点が、前記携帯無線端末装置用のホイップアンテナを構成する棒状のアンテナエレメントの一端と、電気的な接触をなすことを特徴とする請求項７記載の携帯無線端末装置用の卓上型充電台。
【請求項９】
前記本装置のコネクタは、前記携帯無線端末装置が載置された状態では、前記携帯無線端末装置の回路基板に電気的に接続されている前記携帯無線端末装置側のコネクタと、電気的に接続されることを特徴とする請求項７または請求項８記載の携帯無線端末装置用の卓上型充電台。
【請求項１０】
前記本装置の接地電位の回路基板を、前記携帯無線端末装置用のホイップアンテナとの距離間隔が縮小される方向に延長させて配置したことを特徴とする請求項７乃至９のいずれか１項に記載の携帯無線端末装置用の卓上型充電台。
【発明の詳細な説明】
【技術分野】
【０００１】
本発明は携帯無線端末装置及び携帯無線端末装置用の卓上型充電台に係り、特に、デジタルテレビ放送、ＦＭ放送、マルチメディア放送等の放送電波の受信に適した携帯無線端末装置及び携帯無線端末装置用の卓上型充電台に関する。
【背景技術】
【０００２】
近年、携帯無線端末装置によっても、デジタルテレビ放送、ＦＭ放送、マルチメディア放送等を受信して視聴できるサービスの提供が増えており、また、実際にこれらの放送を受信できる機能を搭載した携帯無線端末装置が数多く開発されている。一般に、これらの放送に使用されている周波数域は、携帯電話装置等に使用されている周波数域と比べて低い場合が多く、このため受信アンテナは大型化する傾向が有る。また、携帯無線端末装置の場合には、ホイップアンテナやイヤホンアンテナ等の外部アンテナを装着する必要があり、視聴時にはそれらを引き伸ばして使用する必要がある。
【０００３】
しかしながら、携帯無線端末装置は、その携帯性を確保するために小型化されており、低い周波数域の電波を受信するためには理想的であるサイズの大きいアンテナ（具体的には、よりエレメント長の長い外部アンテナ）を搭載することは困難である。また使用者の中には、これらの放送を録画、若しくは録音しておいて、任意の時間帯で視聴するようにする利用方法も多く用いられるようになっている。一般に、放送視聴時には多くの電力量を必要とするため、クレードル（卓上型充電台）等の充電器に装着して充電を行いながら録画、録音、視聴する方法を用いる使用者も多くなっている。
【０００４】
このような事情から、クレードル内に、より性能の良いアンテナを搭載して、クレードル装着時には該クレードルに搭載の該アンテナに切り替えるか、若しくは外部アンテナに切り替えることにより、良好な受信環境を実現することが考えられている。しかしながら、このような特別なアンテナに切り替える場合に、クレードルには、必然的に該アンテナ専用の接点が必要となる。また製品として標準装備されているアンテナとは異なる特別なアンテナとなるため、クレードルには、特殊なアンテナ切り替え回路を備えて、切り替え制御を行う必要が有り、小型化を進める上で大きな障害となっている。更に、防水性能を備えた携帯無線端末装置の場合には、新たな端子の追加が必要となるので、携帯無線端末装置の大型化を招くことになり、携帯無線端末装置の商品性には大きな影響を与えることになる。
【０００５】
この分野に関連する公知技術として、例えば特許文献１には、簡易な構成でテレビジョン信号の信号品質を改善することを意図した技術が開示されている。具体的には、充電器に装着された携帯電話機の電話機用信号受信アンテナで第１のテレビジョン信号Ｓ１Ａを受信する。そのとき、充電器の充電器用信号受信アンテナで第２のテレビジョン信号Ｓ１Ｂを受信して当該携帯電話機で第１のテレビジョン信号Ｓ１Ａ及び第２のテレビジョン信号Ｓ１Ｂをダイバーシチ処理する。これにより、携帯電話機を単独でテレビジョン放送の受信機とする際に用いる電話機用信号受信アンテナを、当該携帯電話機及び充電器を合わせてテレビジョン放送の受信機とする際にも兼用する。このようにして、テレビジョン信号受信システムに対する信号受信アンテナの本数を減らし、簡易な構成でテレビジョン信号の信号品質を改善することができるようにするものとしている。
【０００６】
また、特許文献２には、クレードルに載置して充電等を行っている間でも、ＴＶ受信可能な強電波エリアでは、本体アンテナからのＲＦ信号の再生を選択することができ、外部アンテナを接続することなく、ＴＶ視聴できる携帯無線端末装置が開示されている。具体的には、本体アンテナが伸長され、収納検出スイッチがＯＦＦ状態である場合には、切り換えスイッチの接続端子と出力端子とを接続させて本体アンテナによって受信されたＲＦ信号をチューナ部に入力させる。本体アンテナが筐体内に収納され、収納検出スイッチがＯＮ状態である場合、切り換えスイッチの接続端子の１つと出力端子とを接続させて外部アンテナ接続端子、若しくはクレードル接続端子とから入力されたＲＦ信号をチューナ部に入力させる構成としている。
【０００７】
また、例えば特許文献３には、携帯無線端末装置が卓上充電器にセットされた状態において、安定したＤＴＶ放送の受信を実現することを意図した技術が開示されている。具体的には、地上波デジタル放送が受信可能な携帯端末用の卓上充電器において、携帯端末充電の為の充電用端子と、携帯端末と接続する無線接続手段と、地上波デジタル放送用アンテナと、地上波デジタル用外部無線信号入力端子と、切り替えスイッチを設ける。そして、携帯端末が卓上充電器にセットされた際、携帯端末に対し、無線接続手段に接続された切り替えスイッチを介して、地上波デジタル放送用アンテナ、又は地上波デジタル放送用外部無線信号入力端子のいずれか一方からの信号を選択し供給している。
【０００８】
また、例えば特許文献４には、携帯無線端末装置に放送信号受信用のアンテナを設けない場合でも、良好な受信特性を維持できるとともに、携帯性に優れた構成を実現することを意図した技術が開示されている。具体的には、クレードルと携帯無線端末装置とを備えて構成される携帯無線装置において、クレードルには、放送信号受信用のアンテナを内蔵し、受信した放送信号を送信する接点と、携帯無線端末装置を装着する端末装着部とを備える。携帯無線端末装置には、放送信号をクレードルの接点を介して受信する接点を設け、受信した放送信号を復調する放送受信回路部を備える。また、受信した放送信号の帯域切り替えを行い、放送受信回路部へ出力する帯域切替え回路部を備え、受信する放送信号の帯域に合わせた周波数への切り替えを行うものとしている。
【０００９】
更に、特許文献５には、切り替え回路を用いることなく、本体アンテナと外部アンテナ入力端子とを切り替えることができ、切り替え素子やインピーダンスマッチング素子等の損失による受信感度の低下を防止し得る携帯無線端末装置が開示されている。具体的には、クレードルに載置した際に、コネクト手段によってクレードルに設けられた信号接続ピンと本体アンテナとが接続されるように構成する。この構成において、携帯無線端末装置をクレードルに載置すると、信号接続ピンと本体アンテナとが接続され、信号接続ピンから供給される信号を本体アンテナ経由でチューナ部に入力させることができるようにしている。
【先行技術文献】
【特許文献】
【００１０】
【特許文献１】特開２００５−１３６７２４号公報
【特許文献２】特開２００９−０４４６２２号公報
【特許文献３】特開２０１０−０３４９２１号公報
【特許文献４】特開２０１０−１９９７４３号公報
【特許文献５】特開２００９−０３８７１９号公報
【発明の概要】
【発明が解決しようとする課題】
【００１１】
しかしながら、上記背景技術で述べた本発明に関連する携帯無線端末装置にあっては、前述のとおり、室内での使用時に、より安定した特性を得るため、クレードル等に搭載された外部アンテナを使用することが行われている。このため、外部アンテナと接続するための新たなアンテナ接続端子が必要になる。また、携帯無線端末装置に搭載されているアンテナと該外部アンテナとの切り替えを行うためのアンテナ切り替え回路と、切り替えを制御する回路が新たに必要となる。
【００１２】
また、最近の携帯無線端末装置には、益々小型化が要求されると共に防水性が求められることも多くなっている。特に、防水性が求められる場合、携帯無線端末装置内部と外部とを接続する接続端子を新設することは、携帯無線端末装置の小型化にとって困難な課題となる。更に、接続端子や接続配線については、高周波信号伝送に適した同軸コネクタや同軸ケーブル等を使用する必要性が有り、このため、小型化と防水性を実現することが一層厳しいものとなる。
【００１３】
特性インピーダンス線路の観点から見ると、特許文献５に記載の公知技術では、ホイップアンテナを高周波伝送線路に変換する際に、金属管を用いた同軸ケーブル構成にしている。この方法であると、ホイップアンテナを、筐体内部に収納する方法のアンテナとしてしか使用できないことになる。
【００１４】
本発明の目的は、上述した課題を解決する携帯無線端末装置及び携帯無線端末装置用の卓上型充電台を提供することにある。
【課題を解決するための手段】
【００１５】
上記課題を解決するために、本発明に係る携帯無線端末装置は、少なくとも放送信号を受信する機能を有する、折畳み式または引出し式の本装置用のホイップアンテナと、本装置の接地電位の回路基板と接続されたコネクタを備え、前記本装置用のホイップアンテナは、卓上型充電台に装着された状態で、前記卓上型充電台の接地電位の回路基板とマイクロストリップラインを構成するように配置され、アンテナ機能は無効化されると共に高周波伝送線路として機能することを特徴とする。また、本発明に係る携帯無線端末装置用の卓上型充電台は、少なくとも放送信号を受信する機能を有する本装置用のホイップアンテナと、本装置の接地電位の回路基板と接続されたコネクタを備え、携帯無線端末装置が載置された際に、前記本装置の接地電位の回路基板は、前記携帯無線端末装置用のホイップアンテナをマイクロストリップラインに変じさせ、前記携帯無線端末装置用のホイップアンテナのアンテナ機能を無効化すると共に高周波伝送線路として機能させることを特徴とする。
【発明の効果】
【００１６】
本発明によれば、携帯無線端末装置側のホイップアンテナを収納すると共に、該携帯無線端末装置をクレードルに収納して使用する場合に、接続用の接点や切替回路等の追加的な回路要素を設けなくとも、より良好なアンテナ特性を得ることができる。
【図面の簡単な説明】
【００１７】
【図１】本発明の実施形態に係る携帯無線端末装置及び携帯無線端末装置用の卓上型充電台の全体構成を示す構成図である。
【図２】本発明に係る携帯無線端末装置１とクレードル２とが備える回路のブロック構成を例示する構成図である。
【図３】本発明に係る携帯無線端末装置１の部分的な詳細構成を示す説明図である。
【図４】本発明に係る携帯無線端末装置１のインピーダンス及び反射損失を示すグラフ図である。
【図５】一般的な携帯無線端末装置が備えるホイップアンテナの収納状態の１例を示す説明図である。
【図６】図５に示す携帯無線端末装置が備えるホイップアンテナのインピーダンス及び反射損失を示すグラフ図である。
【図７】本発明に係る携帯無線端末装置１をクレードル２に装着した場合の部分的な詳細構成を示す説明図である。
【図８】図７に示す装着状態での携帯無線端末装置１のインピーダンス及び反射損失を示すグラフ図である。
【図９】本発明の実施形態に係る携帯無線端末装置の他の構成を示す構成図である。
【図１０】図９に例示するマイクロストリップラインを実現した携帯無線端末装置のインピーダンス及び反射損失を示すグラフ図である。
【発明を実施するための形態】
【００１８】
以下、本発明の携帯無線端末装置及び携帯無線端末装置用の卓上型充電台の実施形態について、図面を参照して詳細に説明する。
【００１９】
図１は、本発明の実施形態に係る携帯無線端末装置及び携帯無線端末装置用の卓上型充電台の全体構成を示す構成図である。同図において、本実施形態の携帯無線端末装置１は、クレードル２（本発明の実施形態に係る携帯無線端末装置用の卓上型充電台）に装着されるところである。図１に示す携帯無線端末装置１は、主要な構成要素として、表示・操作部３と、ホイップアンテナ４（外部アンテナ）と、ＧＮＤ（接地）端子及び信号線端子を備えたコネクタ５とを備える。この他に、携帯無線端末装置１は、図示していない通信回路や電源回路を含むものとする。携帯無線端末装置１は、具体的には携帯電話装置、携帯情報端末装置、携帯コンピュータ端末装置、携帯ゲーム端末装置、等の情報機器であって良い。クレードル２は、図１に示す構成では、ホイップアンテナ６（外部アンテナ）と、アンテナ用接点７と、ＧＮＤ端子及び信号線端子を備えたコネクタ８と、ＧＮＤ電位の基板９と、を備えるものとする。この他に、クレードル２は、図示していない通信回路や電源回路を含むものとする。
【００２０】
以下、本実施形態の携帯無線端末装置１が有する各構成要素の機能について説明する。ホイップアンテナ４は、ここでは、棒状の折り畳み可能な外部アンテナであり、少なくとも放送信号を受信する機能を有するものとする。ホイップアンテナ４は、携帯無線端末装置１を単体で使用する場合には図１に示す位置とは反対側に折り曲げて、アンテナとして機能させる。そして、クレードル２への装着時には、収納途中図の図１に示すように収納され、該収納が完了すると、ホイップアンテナ４のアンテナエレメント（後述）の一端が、クレードル２のアンテナ用接点７と接触するように構成している。なお、前記構造において、クレードル２のアンテナ用接点７は、クレードル２のホイップアンテナ６と、高周波的な損失が僅少であるように接続されているものとする。また、前記アンテナ用接点７との接触部分についても、高周波的な損失が僅少となるように接触するように構成している。
【００２１】
よって，上記の収納が完了すると、クレードル２側のホイップアンテナ６と、携帯無線端末装置１側のホイップアンテナ４とは、高周波的な損失が僅少となる状態で電気的に直接接続される。しかしながら、ホイップアンテナ４は、通常、モノポールアンテナ方式のアンテナであり、そのエレメントの長さは１／４波長（λ／４）となる。この長さは、前述のとおり、２つのホイップアンテナ４、６を接続した状態では、１／２波長（λ／２）となり、また、インピーダンスはＯＰＥＮ（開放）となってしまって、全体としてのアンテナの性能（信号電波による起電力等）は極端に低下することになる。そこで、本発明の携帯無線端末装置１では、クレードル２への装着時には、ホイップアンテナ４を、アンテナとしては機能させず、単に、高周波線路機能だけを有する構成要素となるように構成する。
【００２２】
即ち、携帯無線端末装置１が使用する最終的なアンテナとして、ホイップアンテナ４が収納されてクレードル２へ装着された以後は、クレードル２側のホイップアンテナ６のみがアンテナとして有効に機能する。このように、携帯無線端末装置１では、ホイップアンテナ４が収納されてクレードル２へ装着された場合、ホイップアンテナ４が有する通常のアンテナ機能は無効化される。そして、ホイップアンテナ４がホイップアンテナ６との単なる接続接点及び高周波線路として使用されることによって、クレードル２側が備えるホイップアンテナ６のアンテナ機能だけを有効にしている。
【００２３】
このため、本発明の携帯無線端末装置１がクレードル２へ装着された場合には、携帯無線端末装置１側のコネクタ５と、クレードル２側のコネクタ８とは電気的に接続されるように構成している。これにより、携帯無線端末装置１側の回路基板（後述）と、クレードル２側の接地電位の回路基板（後述）とは電気的に接続され、これより、ホイップアンテナ４はマイクロストリップライン化される。なお、ホイップアンテナ４のアンテナ機能を無効化する方法を実現する構成、即ち、ホイップアンテナ４をマイクロストリップライン化するために採用される具体的な構成については、図７及び図９を参照して後述する。
【００２４】
図２は、本発明に係る携帯無線端末装置１とクレードル２とが備える回路のブロック構成を例示する構成図である。同図に示す携帯無線端末装置１は、主要な回路要素として、表示・操作部３と、ホイップアンテナ４と、コネクタ５と、マッチング回路１１と、無線回路１２と、復調回路１３と、ＣＰＵ１４と、を備える。但し、携帯無線端末装置１の通信用の回路構成は、図２に例示したものに限定されるものではなく、既成の任意の回路構成が可能である。以下、本発明に係る携帯無線端末装置１が備える回路要素の機能について説明する。ホイップアンテナ４は、携帯無線端末装置１に実装されており、高周波信号を受信して無線回路１２へ伝送する。その際、マッチング回路１１は、ホイップアンテナ４と無線回路１２とのインピーダンス整合を行い、これにより、無線信号の損失を軽減する。無線回路１２は、ＣＰＵ１４によって制御され、受信周波数の選択等を行う。復調回路１３は、高周波信号を復調する。表示・操作部３は、復調回路１３が復調した高周波信号が伝える内容（データ）を、ＣＰＵ１４を介して表示する。
【００２５】
図３は、本発明に係る携帯無線端末装置１の部分的な詳細構成を示す説明図である。同図では、携帯無線端末装置１のアンテナ特性を決定する構成要素として、ホイップアンテナ４を構成するアンテナエレメント２１と、携帯無線端末装置１側の基板２２のみを示している。図３に示すとおり、通常、ホイップアンテナ４を構成するアンテナエレメント２１は、使用する周波数のλ／４（１／４波長）の長さで構成されているが、ここでは、６４０Ｍ〔Ｈｚ〕を使用周波数とする。図４は、本発明に係る携帯無線端末装置１のインピーダンス及び反射損失を示すグラフ図である。同図に示すとおり、インピーダンス及び反射損失は、ほぼ６４０Ｍ〔Ｈｚ〕にて同調されている。
【００２６】
図５は、一般的な携帯無線端末装置が備えるホイップアンテナの収納状態の１例を示す説明図である。但し、ホイップアンテナ等の符号は、本発明と区別していない。図６は、図５に示す携帯無線端末装置が備えるホイップアンテナのインピーダンス及び反射損失を示すグラフ図である。図５に例示するホイップアンテナの収納状態であっても、同調周波数のずれは起こるものの、アンテナとして機能しており、よって、図６に示すインピーダンス及び反射損失が生じる。また、アンテナエレメント２１とＧＮＤとが接近することで、アンテナ長も電気的には若干短くはなるが、それも、ほぼλ／４程度に過ぎない。一方、この一般的な携帯無線端末装置を収納するクレードルに装着されるアンテナも、前述のとおり、λ／４のエレメント長となる。
【００２７】
図７は、本発明に係る携帯無線端末装置１をクレードル２に装着した場合の部分的な詳細構成を示す説明図である。同図では、携帯無線端末装置１側のアンテナエレメント２１及び基板２２に加えて、クレードル２側のアンテナエレメント２３と、クレードル側の基板２４（基板９の、ここでの実施例）とを示している。図７に示すとおり、携帯無線端末装置１をクレードル２に装着した場合には、携帯無線端末装置１側のアンテナエレメント２１と、クレードル２側のアンテナエレメント２３とが、図１に示すアンテナ用接点７を介して接続される。この場合には、アンテナエレメントの総長は、ほぼλ／２（半波長）となり、電気的な線路長もほぼ同じ長さとなる。
【００２８】
図８は、図７に示す装着状態での携帯無線端末装置１のインピーダンス及び反射損失を示すグラフ図である。同図に示すとおり、エレメント長が、使用周波数のλ／２となった場合には、反共振状態となり、インピーダンスはＯＰＥＮ（開放）となり、また、反射損失は非常に大きくなるので、アンテナ特性（性能）は極端に低下する。したがってアンテナ収納状態とはいえ、そのまま接続することで携帯端末およびクレードルの両者のエレメント長の合計がλ／２となることで、アンテナとして機能しなくなることが理解される。よって、アンテナエレメント２３をアンテナエレメント２１と接続して使用する場合、ホイップアンテナ６のみをアンテナとして機能させ、ホイップアンテナ４についてはアンテナとして機能させなくする対策が必要となる。
【００２９】
以下、上記の対策を含めて、本発明に係る携帯無線端末装置１の動作を説明する。但し、一般に、無線携帯端末の基板は、アンテナにとってはＧＮＤとして機能しているため、以下の説明では基板＝ＧＮＤとして説明する。図１に示す携帯無線端末装置１のホイップアンテナ４を収納した状態で、携帯無線端末装置１をクレードル２に装着すると、図２に示すコネクタ５及びコネクタ８において携帯無線端末装置１とクレードル２とが共にＧＮＤに接続され、両者は、同電位となる。より具体的には、図７に示す携帯無線端末装置１の基板２２及びクレードル２の基板２４がＧＮＤ電位となると共に、携帯無線端末装置１や、クレードル２の筐体を構成する外板（図示は省略）まで、ＧＮＤ電位となる。
【００３０】
この状態で、携帯無線端末装置１が備えるホイップアンテナ４のアンテナエレメント２１とクレードル２が備えるホイップアンテナ６のアンテナエレメント２３とがアンテナ用接点７（図１）を介して接続される。このように構成することにより、上記接続時には、携帯無線端末装置１が備えるホイップアンテナ４は単なる信号ラインとなり、また、クレードル２が備えるホイップアンテナ６は外部アンテナとして機能する。更に、基板２４（基板９の、ここでの実施例）がＧＮＤ電位となることにより、ホイップアンテナ４についてはマイクロストリップラインが形成される。このマイクロストリップラインは、ライン幅（ホイップアンテナ４の幅）、ラインとＧＮＤ電位の基板９との距離、及びライン・ＧＮＤ間の誘電体特性によって特性インピーダンスが決定する。ここで、収納時のホイップアンテナ４とＧＮＤ電位である基板２４との間の距離を適切に設計すれば、携帯無線端末装置１のホイップアンテナ４のアンテナ機能を無効化し、必要な特性インピーダンスを有するマイクロストリップラインを形成することができる。なおまた、必要な特性インピーダンスは、一般的に５０（Ω）である。
【００３１】
図９は、本発明の実施形態に係る携帯無線端末装置の他の構成を示す構成図である。同図に示す構成では、図７に示す基板２４の横方向の長さを携帯無線端末装置１のアンテナエレメント２１側まで延長してマイクロストリップラインを形成したものである。このように構成することにより、アンテナエレメント２１のアンテナとしての機能を、より強力に無効化することができる。その理由は、アンテナエレメント２１がＧＮＤ電位の基板２４に接近する範囲が、図７に示す場合よりも拡大されるからである。
【００３２】
図１０は、図９に例示するマイクロストリップラインを実現した携帯無線端末装置のインピーダンス及び反射損失を示すグラフ図である。同図に示すとおり、図９に例示するマイクロストリップラインでは、図７に示したマイクロストリップラインよりも、一層効果的なマイクロストリップラインが形成されている。これにより、インピーダンス及び反射損失の特性は、携帯無線端末装置１単独のインピーダンス及び反射損失の特性（図４）と比べて、ほぼ同等の特性が得ることができる。この場合、携帯無線端末装置１のホイップアンテナ４はアンテナ機能としては無効化されており、単なる線路機能だけとなっていることが確認できる。
【００３３】
以上、説明したとおり、携帯無線端末装置１とクレードル２とが共にＧＮＤに接続された状態で、アンテナエレメント２１とアンテナエレメント２３とが接続されるので、マイクロストリップラインを形成することができる。また、このマイクロストリップラインでは、携帯無線端末装置１が備えるホイップアンテナ４は、アンテナ機能としては無効化されている。これにより、インピーダンス及び反射損失の特性は、携帯無線端末装置１単独のインピーダンス及び反射損失の特性とほぼ同一にできる効果が得られる。更に、このマイクロストリップラインの形成に際しては、新たな接続接点、アンテナ切り替え回路、切り替え制御回路、及び同軸ケーブル等を設ける必要が無いので、装置全体を小型化できると共に、コストアップを低減する効果が得られる。
【００３４】
前述の実施形態では、折り畳式のホイップアンテナを備える携帯無線端末装置について説明した。しかしながら、現在、携帯無線端末装置としては、ホイップアンテナを装置の筐体内部に収納し、使用時には、収納したホイップアンテナを装置の外部に引き出すタイプのホイップアンテナ（引出し式ホイップアンテナ）も、広く普及している。このような、ホイップアンテナを装置の筐体内部に収納するタイプの携帯無線端末装置の場合には、クレードル２のＧＮＤだけではなく、携帯無線端末装置自体のＧＮＤをも使用して、前述の実施形態と同様にマイクロストリップラインを構成することができる。このように構成した場合、使用時に、収納したホイップアンテナが装置の外部に引き出された場合には、マイクロストリップラインの上記構成は崩れるため、通常のアンテナとして機能する。勿論、収納時には、前述のとおり、マイクロストリップラインとして機能するため、同様に、装置全体を小型化できると共に、コストアップを低減する効果が得られる。
【符号の説明】
【００３５】
１  携帯無線端末装置
２  クレードル（本発明の携帯無線端末装置用の卓上型充電台）
３  表示・操作部
４  ホイップアンテナ（携帯無線端末装置１の外部アンテナ）
５，８  コネクタ
６  ホイップアンテナ（クレードル２の外部アンテナ）
７  アンテナ用接点
９  基板（クレードル２の基板）
１１  マッチング回路
１２  無線回路
１３  復調回路
１４  ＣＰＵ
２１  アンテナエレメント（ホイップアンテナ４のアンテナエレメント）
２２  基板（携帯無線端末装置１の基板）
２３  アンテナエレメント（ホイップアンテナ６のアンテナエレメント）
２４  クレードル基板（基板９の実施例）
【図１】
2013110560.tif 000003
【図２】
2013110560.tif 000004
【図３】
2013110560.tif 000005
【図４】
2013110560.tif 000006
【図５】
2013110560.tif 000007
【図６】
2013110560.tif 000008
【図７】
2013110560.tif 000009
【図８】
2013110560.tif 000010
【図９】
2013110560.tif 000011
【図１０】
2013110560.tif 000012